(57)【要約】【課題】横電界の影響による表示品位の低下を抑える。【解決手段】液晶パネル１００は、素子基板１００ａに設けられた画素電極１１８と対向基板１００ｂに設けられたコモン電極１０８とにより液晶１０５が挟持された液晶素子を有する。映像処理回路３０は、ノーマリーブラックモードにおいて、映像信号Ｖid-inで指定される階調レベルに対応する液晶素子の印加電圧が電圧Ｖth1を下回る暗画素と、電圧Ｖth2以上である明画素との境界を、現フレームと前フレームとでそれぞれ検出する。映像処理回路３０は、現フレームの境界のうち、前フレームの境界から１画素分移動した部分に接する暗画素への印加電圧を、電圧Ｖth1以上且つ電圧Ｖth2未満の電圧Ｖc1に置換し、前フレームの境界から１画素分移動した部分に接する明画素への印加電圧を、電圧Ｖth1以上且つ電圧Ｖth2未満の電圧Ｖc2に置換する。【選択図】図１
2011175136.tif 000002
【特許請求の範囲】
【請求項１】
画素毎に液晶素子の印加電圧を指定する映像信号が入力されるとともに、補正した映像
信号に基づいて前記液晶素子の印加電圧をそれぞれ規定する映像処理回路であって、
入力された映像信号で指定される印加電圧が第１電圧を下回る第１画素と、前記印加電
圧が前記第１電圧よりも大きい第２電圧以上である第２画素との境界を、現フレームおよ
び現フレームより一つ前の前フレームでそれぞれ検出する境界検出部と、
前記現フレームの境界において前記前フレームの境界から１画素分移動した移動部分に
接する前記第１画素および前記第２画素に対応する液晶素子への印加電圧を指定する映像
信号を、当該第１画素および当該第２画素で生じる横電界を低減する方向に補正する補正
部と、
を備えることを特徴とする映像処理回路。
【請求項２】
前記補正部は、
前記移動部分に接する前記第１画素から当該移動部分の反対側へ連続する１以上の予め
定められた個数の前記第１画素に対応する液晶素子への印加電圧を指定する映像信号を、
前記横電界を低減する方向に補正する
ことを特徴とする請求項１に記載の映像処理回路。
【請求項３】
前記補正部は、
前記移動部分に接する前記第２画素から当該移動部分の反対側へ連続する１以上の予め
定められた個数の前記第２画素に対応する液晶素子への印加電圧を指定する映像信号を、
前記横電界を低減する方向に補正する
ことを特徴とする請求項１または請求項２に記載の映像処理回路。
【請求項４】
前記補正部は、
前記移動部分に接する第１画素および第２画素が、前記前フレームにおいていずれも第
２画素であった場合には、当該移動部分を挟んだ位置にある第１画素および第２画素を補
正対象から除外する
ことを特徴とする請求項１に記載の映像処理回路。
【請求項５】
画素毎に液晶素子の印加電圧を指定する映像信号を補正し、補正した映像信号に基づい
て前記液晶素子の印加電圧をそれぞれ規定する映像処理回路であって、
入力された映像信号で指定される印加電圧が第１電圧を下回る第１画素と、前記印加電
圧が前記第１電圧よりも大きい第２電圧以上である第２画素との境界を、現フレームおよ
び現フレームより一つ前の前フレームでそれぞれ検出し、
前記現フレームの境界において前記前フレームの境界から１画素分移動した移動部分に
接する前記第１画素および前記第２画素に対応する液晶素子への印加電圧を指定する映像
信号を、当該第１画素および当該第２画素で生じる横電界を低減する方向に補正する
ことを特徴とする映像処理方法。
【請求項６】
第１基板において複数の画素の各々に対応して設けられた画素電極と、第２基板に設け
られたコモン電極とにより液晶が挟持された液晶素子を有する液晶パネルと、
画素毎に前記液晶素子の印加電圧を指定する映像信号が入力されるとともに、補正した
映像信号に基づいて前記液晶素子の印加電圧をそれぞれ規定する映像処理回路とを、有し
、
前記映像処理回路は、
入力された映像信号で指定される印加電圧が第１電圧を下回る第１画素と、前記印加電
圧が前記第１電圧よりも大きい第２電圧以上である第２画素との境界を、現フレームおよ
び現フレームより一つ前の前フレームでそれぞれ検出する境界検出部と、
前記現フレームの境界において前記前フレームの境界から１画素分移動した移動部分に
接する前記第１画素および前記第２画素に対応する液晶素子への印加電圧を指定する映像
信号を、当該第１画素および当該第２画素で生じる横電界を低減する方向に補正する補正
部と、
を備えることを特徴とする液晶表示装置。
【請求項７】
請求項６に記載された液晶表示装置を有することを特徴とする電子機器。
【発明の詳細な説明】
【技術分野】
【０００１】
本発明は、液晶パネルにおける表示上の不具合を低減する技術に関する。
【背景技術】
【０００２】
液晶パネルは、一対の基板のうち、一方の基板において画素毎に画素電極がマトリクス
状に配列し、他方の基板においてコモン電極が各画素にわたって共通となるように設けら
れ、画素電極とコモン電極とで液晶を挟持した構成となっている。このような構成におい
て、画素電極とコモン電極との間に、階調レベルに応じた電圧を印加・保持させると、液
晶の配向状態が画素毎に規定され、これにより、透過率または反射率が制御される。した
がって、上記構成では、液晶分子に作用する電界のうち、画素電極からコモン電極に向か
う方向（またはその反対方向）、すなわち基板面に対して垂直方向（縦方向）の成分だけ
が、表示制御に寄与する、ということができる。
【０００３】
ところで、小型化、高精細化のために液晶パネルの画素ピッチが狭くなると、互いに隣
接する画素電極同士で生じる電界、すなわち基板面に対して平行方向（横方向）の電界が
生じて、その影響が無視できなくなりつつある。例えばＶＡ（Vertical Alignment）方式
やＴＮ（Twisted Nematic）方式などのように縦方向の電界により駆動されるべき液晶に
対して、横電界が加わると、液晶の配向不良（リバースチルトドメイン）が発生し、表示
上の不具合が発生してしまう、という問題が生じた。
このリバースチルトドメインの影響を低減するために、画素電極に合わせて遮光層（開
口部）の形状を規定するなどして液晶パネルの構造を工夫する技術（例えば特許文献１参
照）や、映像信号から算出した平均輝度値が閾値以下の場合にリバースチルトドメインが
発生すると判断して、設定値以上の映像信号をクリップする技術（例えば特許文献２参照
）などが提案されている。
【先行技術文献】
【特許文献】
【０００４】
【特許文献１】特開平６−３４９６５号公報（図１）
【特許文献２】特開２００９−６９６０８号公報（図２）
【発明の概要】
【発明が解決しようとする課題】
【０００５】
しかしながら、液晶パネルの構造によってリバースチルトドメインを低減する技術では
、開口率が低下しやすく、また、構造を工夫しないで既に製作された液晶パネルに適用す
ることができないという欠点がある。一方、設定値以上の映像信号をクリップする技術で
は、表示される画像の明るさが設定値に一律に制限されてしまう、という欠点もある。
本発明は、上述した事情に鑑みてなされたもので、その目的の一つは、これらの欠点を
解消しつつ、リバースチルトドメインを低減する技術を提供することにある。
【課題を解決するための手段】
【０００６】
上記目的を達成するために、本発明に係る映像処理回路は、画素毎に液晶素子の印加電
圧を指定する映像信号が入力されるとともに、補正した映像信号に基づいて前記液晶素子
の印加電圧をそれぞれ規定する映像処理回路であって、入力された映像信号で指定される
印加電圧が第１電圧を下回る第１画素と、前記印加電圧が前記第１電圧よりも大きい第２
電圧以上である第２画素との境界を、現フレームおよび現フレームより一つ前の前フレー
ムでそれぞれ検出する境界検出部と、前記現フレームの境界において前記前フレームの境
界から１画素分移動した移動部分に接する前記第１画素および前記第２画素に対応する液
晶素子への印加電圧を指定する映像信号を、当該第１画素および当該第２画素で生じる横
電界を低減する方向に補正する補正部と、を備えることを特徴とする。
本発明によれば、現フレームの境界のうち、前フレームの境界から１画素移動した部分
を挟んだ位置にある画素同士の横電界だけが小さくなるので、映像信号で規定される画像
とは異なる画像が表示される部分（表示背反）を少なくした上で、リバースチルトドメイ
ンの発生を抑えることが可能となる。
また、本発明によれば、液晶素子を有する液晶パネルにおいて、構造を変更する必要が
ないので、開口率の低下を招くこともないし、また、構造を工夫しないで既に製作された
液晶パネルに適用することも可能である。
【０００７】
本発明において、前記補正部は、前記移動部分に接する前記第１画素から当該移動部分
の反対側へ連続する１以上の予め定められた個数の前記第１画素に対応する液晶素子への
印加電圧を指定する映像信号を、前記横電界を低減する方向に補正してもよい。
また、本発明において前記補正部は、前記移動部分に接する前記第２画素から当該移動
部分の反対側へ連続する１以上の予め定められた個数の前記第２画素に対応する液晶素子
への印加電圧を指定する映像信号を、前記横電界を低減する方向に補正してもよい。
このように補正画素数を増やすと、印加電圧の補正を目立たなくすることも可能となる
。
また、本発明において前記補正部は、前記移動部分に接する第１画素および第２画素が
、前記前フレームにおいていずれも第２画素であった場合には、当該移動部分を挟んだ位
置にある第１画素および第２画素を補正対象から除外してもよい。
このように除外すると、表示背反となる画素を、より少なくすることが可能となる。
なお、本発明は、映像処理回路のほか、映像処理方法、液晶表示装置および当該液晶表
示装置を含む電子機器としても概念することが可能である。
【図面の簡単な説明】
【０００８】
【図１】実施形態に係る映像処理回路を適用した液晶表示装置を示す図。
【図２】同液晶表示装置における液晶素子の等価回路を示す図。
【図３】同映像処理回路の構成を示す図。
【図４】同液晶表示装置における表示特性を示す図。
【図５】同液晶表示装置における表示動作を示す図。
【図６】横電界の影響による表示上の不具合の一例と本実施形態の表示の一例の図。
【図７】同映像処理回路における補正処理の内容を示す図。
【図８】同補正処理による横電界の低減を示す図。
【図９】実施形態における別の補正処理の内容を示す図。
【図１０】実施形態における別の補正処理の内容を示す図。
【図１１】実施形態における別の補正処理の内容を示す図。
【図１２】実施形態に係る液晶表示装置を適用したプロジェクターを示す図。
【発明を実施するための形態】
【０００９】
以下、本発明の実施形態について図面を参照して説明する。図１は、実施形態に係る映
像処理回路を適用した液晶表示装置の全体構成を示すブロック図である。この図に示され
るように、液晶表示装置１は、制御回路１０と、液晶パネル１００と、走査線駆動回路１
３０と、データ線駆動回路１４０とを有する。
このうち、制御回路１０には、映像信号Ｖid-inが、上位装置から同期信号Ｓyncに同期
して供給される。映像信号Ｖid-inは、液晶パネル１００における各画素の階調レベルを
それぞれ指定するデジタルデータであり、同期信号Ｓyncに含まれる垂直走査信号、水平
走査信号およびドットクロック信号（いずれも図示省略）にしたがった走査の順番で供給
される。なお、映像信号Ｖid-inは、画素の階調レベルを指定するが、後述するように階
調レベルに応じて液晶素子の印加電圧が定まるので、映像信号Ｖid-inは液晶素子の印加
電圧を指定するものといって差し支えない。
【００１０】
制御回路１０は、走査制御回路２０と映像処理回路３０とにより構成される。このうち
、走査制御回路２０は、各種の制御信号を生成して、同期信号Ｓyncに同期して各部を制
御する。映像処理回路３０は、詳細については後述するが、デジタルの映像信号Ｖid-in
を処理して、アナログのデータ信号Ｖxを出力するものである。
【００１１】
液晶パネル１００は、素子基板（第１基板）１００ａと対向基板（第２基板）１００ｂ
とが一定の間隙を保って貼り合わせられるとともに、この間隙に、縦方向の電界で駆動さ
れる液晶１０５が挟持された構成となっている。
素子基板１００ａのうち、対向基板１００ｂとの対向面には、複数ｍ行の走査線１１２
が図においてＸ（横）方向に沿って設けられる一方、複数ｎ列のデータ線１１４が、Ｙ（
縦）方向に沿って、かつ、各走査線１１２と互いに電気的に絶縁を保つように設けられて
いる。
なお、本実施形態では、走査線１１２を区別するために、図において上から順に１、２
、３、・・・、（ｍ−１）、ｍ行目という呼び方をする場合がある。同様に、データ線１
１４を区別するために、図において左から順に１、２、３、・・・、（ｎ−１）、ｎ列目
という呼び方をする場合がある。
【００１２】
素子基板１００ａでは、さらに、走査線１１２とデータ線１１４との交差のそれぞれに
対応して、ｎチャネル型のＴＦＴ１１６と矩形形状で透明性を有する画素電極１１８との
組が設けられている。ＴＦＴ１１６のゲート電極は走査線１１２に接続され、ソース電極
はデータ線１１４に接続され、ドレイン電極が画素電極１１８に接続されている。
一方、対向基板１００ｂのうち、素子基板１００ａとの対向面には、透明性を有するコ
モン電極１０８が全面にわたって設けられる。コモン電極１０８には、図示省略した回路
によって電圧ＬＣcomが印加される。
なお、図１において、素子基板１００ａの対向面は対向基板に向いている側である。こ
のため、当該対向面に設けられる走査線１１２、データ線１１４、ＴＦＴ１１６および画
素電極１１８については、破線で示すべきであるが、見難くなるので、それぞれ実線で示
している。
【００１３】
図２は、液晶パネル１００の等価回路を示した図である。液晶パネル１００は、走査線
１１２とデータ線１１４との交差に対応して、画素電極１１８とコモン電極１０８とで液
晶１０５を挟持した液晶素子１２０が配列した構成となる。
また、図１では記載を省略したが、実際には図２に示されるように、液晶素子１２０に
対して並列に補助容量（蓄積容量）１２５が設けられる。この補助容量１２５は、一端が
画素電極１１８に接続され、他端が容量線１１５に共通接続されている。容量線１１５は
時間的に一定の電圧に保たれている。
このような構成において、走査線１１２がＨレベルになると、当該走査線にゲート電極
が接続されたＴＦＴ１１６がオン状態になり、画素電極１１８がデータ線１１４に接続さ
れる。このため、走査線１１２がＨレベルであるときに、データ線１１４に、階調に応じ
た電圧のデータ信号を供給すると、当該データ信号は、オン状態になったＴＦＴ１１６を
介して画素電極１１８に印加される。走査線１１２がＬレベルになると、ＴＦＴ１１６は
オフ状態になるが、画素電極に印加された電圧は、液晶素子１２０の容量性および補助容
量１２５によって保持される。
液晶素子１２０では、画素電極１１８およびコモン電極１０８の間によって生じる電界
に応じて液晶１０５の分子配向状態が変化する。このため、液晶素子１２０は、透過型で
あれば、印加・保持電圧に応じた透過率となる。
液晶パネル１００では、液晶素子１２０毎に透過率が変化するので、液晶素子１２０が
画素に相当する。そして、この画素の配列領域が表示領域１０１となる。なお、本実施形
態において、液晶１０５をＶＡ方式として、液晶素子１２０が電圧無印加時において黒状
態となるノーマリーブラックモードとする。
【００１４】
走査線駆動回路１３０は、走査制御回路２０による制御信号Ｙc trにしたがって、１、
２、３、・・・、ｍ行目の走査線１１２に、走査信号Ｙ１、Ｙ２、Ｙ３、・・・、Ｙｍを
供給する。詳細には、走査線駆動回路１３０は、図５の（ａ）に示されるように、走査線
１１２をフレームにわたって１、２、３、・・・、（ｍ−１）、ｍ行目という順番で選択
するとともに、選択した走査線への走査信号を選択電圧ＶＨ（Ｈレベル）とし、それ以外
の走査線への走査信号を非選択電圧ＶＬ（Ｌレベル）とする。
なお、フレームとは、映像信号Ｖid-inが１コマ分供給される周期をいい、同期信号Ｓy
ncに含まれる垂直走査信号の周波数が６０Ｈｚであれば、その逆数である１６．７ミリ秒
である。本実施形態では、フレームにわたって１、２、３、・・・、ｍ行目の走査線１１
２が順番に選択されるので、液晶パネル１００は、映像信号Ｖid-inと等倍速で駆動され
る。このため、本実施形態では、液晶パネル１００に１コマ分の画像を表示させるのに要
する期間は、フレームと一致する。
【００１５】
データ線駆動回路１４０は、映像処理回路３０から供給されるデータ信号Ｖxを、走査
制御回路２０による制御信号Ｘctrにしたがって１〜ｎ列目のデータ線１１４にデータ信
号Ｘ1〜Ｘnとしてサンプリングする。
なお、本説明において電圧については、液晶素子１２０の印加電圧を除き、特に明記し
ない限り図示省略した接地電位を電圧ゼロの基準とする。液晶素子１２０の印加電圧は、
コモン電極１０８の電圧ＬＣcomと画素電極１１８との電位差であり、他の電圧と区別す
る必要があるからである。また、直流成分の印加による液晶１０５の劣化を防止するため
に、液晶素子１２０については交流駆動が実行される。詳細には、画素電極１１８には、
振幅中心である電圧Ｖcntに対して高位側の正極性電圧と低位側の負極性電圧とにフレー
ム毎に交互に切り替えられながら印加される。このような交流駆動において、本実施形態
では、同一フレーム内において各液晶素子１２０の書き込み極性をすべての同一とする面
反転方式としている。
【００１６】
本実施形態において、液晶素子１２０の印加電圧（Ｖ）と透過率（Ｔ）との関係は、液
晶１０５をＶＡ方式のノーマリーブラックモードとしているので、図４の（ａ）に示され
るような特性で表される。液晶素子１２０を、映像信号Ｖid-inで指定された階調レベル
に応じた透過率とさせるには、当該階調レベルに応じた電圧を、該液晶素子に印加すれば
良いはずである。
しかしながら、液晶素子１２０の印加電圧を、映像信号Ｖid-inで指定される階調レベ
ルに応じて単に規定するだけでは、リバースチルトドメインに起因する表示上の不具合が
発生してしまう場合がある。
【００１７】
この不具合は、液晶素子１２０において挟持された液晶分子が不安定な状態にあるとき
に、横電界の影響によって乱れる結果、以後、印加電圧に応じた配向状態になりにくくな
ることが原因の１つとして考えられている。液晶素子１２０への印加電圧が、ノーマリー
ブラックモードにおける黒レベルの電圧Ｖbk以上であって閾値電圧Ｖth1（第１電圧）未
満の電圧範囲Ａにあると、縦電界による規制力が配向膜による規制力よりもわずかに上回
る程度であるため、液晶分子の配向状態が乱れやすい。これが、液晶分子が不安定な状態
にあるときである。便宜的に、液晶素子の印加電圧が電圧範囲Ａにある液晶素子の透過率
範囲（階調範囲）を「ａ」とする。
【００１８】
一方、横電界の影響を受ける場合とは、互いに隣り合う画素電極同士の電位差が大きく
なる場合であり、これは、表示しようとする画像において黒レベルまたは黒レベルに近い
暗画素と、白レベルまたは白レベルに近い明画素と、が隣接する場合である。
このうち、暗画素とは、図４の（ａ）のようなノーマリーブラックモードでは、印加電
圧が電圧範囲Ａにある液晶素子１２０であり、この暗画素に対して横電界を与えるのが明
画素である。この明画素を特定するため、明画素を、印加電圧が閾値電圧Ｖth2（第２電
圧）以上であってノーマリーブラックモードにおける白レベル電圧Ｖwt以下の電圧範囲Ｂ
にある液晶素子１２０とする。便宜的に、液晶素子の印加電圧が電圧範囲Ｂにある液晶素
子の透過率範囲（階調範囲）を「ｂ」とする。
なお、ノーマリーブラックモードにおいて、閾値電圧Ｖth1は、液晶素子の相対透過率
を１０％とさせる光学的閾値電圧であり、閾値電圧Ｖth2は、液晶素子の相対透過率を９
０％とさせる光学的飽和電圧と考えてよい場合がある。
【００１９】
印加電圧が電圧範囲Ａにある液晶素子は、電圧範囲Ｂにある液晶素子に隣接したときに
、横電界を受けてリバースチルトドメインが発生しやすい状況にある。なお逆に、電圧範
囲Ｂにある液晶素子は、電圧範囲Ａにある液晶素子に隣接しても、縦電界の影響が支配的
であり、安定状態にあるので、電圧範囲Ａの液晶素子のようにリバースチルトドメインが
発生しにくい。
【００２０】
リバースチルトドメインに起因する表示上の不具合の例について説明する。映像信号Ｖ
id-inで示される画像が、例えば図６の（ａ）に示されるように、階調範囲ｂの明画素を
背景として、階調範囲ａの暗画素が連続する暗パターンがフレーム毎に１画素ずつ左方向
に移動する場合、その暗パターンの右端縁部（動きの後縁部）において暗画素から明画素
に変化すべき画素がリバースチルトドメインの発生によって明画素にならない、という一
種の尾引き現象として顕在化する。
ここで、本実施形態のように、液晶パネル１００が、映像信号Ｖid-inの供給速度と等
倍速で駆動される場合において、明画素を背景とした暗画素の領域がフレーム毎に２画素
以上ずつ移動するときに、このような尾引き現象は顕在化しない（または、視認されにく
い）。この理由は、次のように考えられる。すなわち、あるフレームにおいて、暗画素と
明画素とが隣接したときに、その明画素でリバースチルトドメインが発生しているかもし
れないが、画像の動きを考えると、リバースチルトドメインが発生する画素が離散的とな
るので、視覚的には目立たない、と考えられるからである。
なお、図６の（ａ）については、見方を変えると、暗画素を背景として明画素が連続す
る明パターンがフレーム毎に１画素ずつ左方向に移動する場合に、その明パターンの左端
縁部（動きの先端部）において暗画素から明画素に変化すべき画素がリバースチルトドメ
インの発生によって明画素にならない、ということもできる。また、同図においては、説
明の便宜上、画像のうち、１ラインの境界付近を抜き出している。
【００２１】
ここで、リバースチルドドメインが発生する条件を整理すると、
（１）あるフレームの映像信号Ｖid-inで示される画像において、階調範囲ａの暗画素と
階調範囲ｂの明画素とが隣接する場合に
（２）そのような暗画素と明画素とが隣接する部分を示す境界が、前フレームから１画素
分だけ移動しているとき、
（３）境界に接する暗画素と明画素とのうち、印加電圧を低くすべき方の画素（ノーマリ
ーブラックモードでは暗画素）で発生しやすい、
ということができる。
リバースチルトドメインが発生する主原因は、上述したように横電界であり、（１）お
よび（２）を満たす境界で強い横電界が生じないような対策を施せば、（３）のリバース
チルトドメインの発生を抑制することできる、と考えられる。
【００２２】
このような観点にたって、本実施形態では、図１に示されるように、映像処理回路３０
が、映像信号Ｖid-inの供給経路において、液晶パネル１００の上流側に設けられて、次
のような処理を実行する。すなわち、映像処理回路３０は、映像信号Ｖid-inで示される
画像を解析して、階調範囲ａの暗画素と階調範囲ｂの明画素とが隣接する境界を検出し、
その検出した境界のうち、１フレーム前の境界から１画素分だけ移動したもの（移動部分
）だけを抽出する。
【００２３】
また、映像処理回路３０は、抽出した境界（適用境界）に接する暗画素と明画素とのう
ち、印加電圧を低くすべき方の画素（ノーマリーブラックモードでは暗画素）の階調レベ
ルを、階調範囲ａから、階調範囲ｂでない別の階調範囲ｃ（階調範囲ａと階調範囲ｂの間
の階調範囲）に属する階調レベルｃ1に置換する処理を実行する。
これにより液晶パネル１００では、当該暗画素に係る液晶素子１２０に対し、当該階調
レベルｃ1に相当する電圧Ｖc1が印加されるので、適用境界において強い横電界が発生し
ないことになる。
また、抽出した境界（適用境界）に接する暗画素と明画素とのうち、印加電圧を高くす
べき方の画素（ノーマリーブラックモードでは明画素）の階調レベルを、階調範囲ｂから
、階調範囲ｃに属する階調レベルｃ2に置換する処理を実行する。
これにより液晶パネル１００では、当該明画素に係る液晶素子１２０に対し、当該階調
レベルｃ2に相当する電圧Ｖc2が印加されるので、適用境界において強い横電界が発生し
ないことになる。
【００２４】
次に、映像処理回路３０の詳細について図３を参照して説明する。この図に示されるよ
うに、映像処理回路３０は、補正部３００、境界検出部３０２、保存部３０６、適用境界
決定部３０８、遅延回路３１２およびＤ／Ａ変換器３１６を有する。
このうち、遅延回路３１２は、上位装置から供給される映像信号Ｖid-inを蓄積し、所
定時間経過後に読み出して映像信号Ｖid-dとして出力するものであり、ＦＩＦＯ（Fast I
n Fast Out：先入れ先出し）メモリーや多段のラッチ回路などにより構成される。なお、
遅延回路３１２における蓄積および読出は、走査制御回路２０によって制御される。
【００２５】
境界検出部３０２は、本実施形態においては、映像信号Ｖid-inで示される画像を解析
して、階調範囲ａにある画素と階調範囲ｂにある画素とが隣接する境界を検出し、その境
界を示す境界情報を出力する。
なお、ここでいう境界とは、あくまでも階調範囲ａにある画素と階調範囲ｂにある画素
とが隣接する部分をいう。このため、例えば階調範囲ａにある画素と階調範囲ｃにある画
素とが隣接する部分や、階調範囲ｂにある画素と階調範囲ｃにある画素とが隣接する部分
については、境界として扱わない。また、映像信号Ｖid-in（Ｖid-d）は、表示すべき画
像であるので、映像信号Ｖid-in（Ｖid-d）が示す画像のフレームを、現フレームと呼ぶ
場合がある。
【００２６】
一方、保存部３０６は、境界検出部３０２によって出力された境界の情報を保存すると
ともに、保存した境界の情報を１フレーム経過後に出力するものである。したがって、保
存部３０６からは、境界検出部３０２から出力される現フレームの境界の情報よりも１フ
レーム前の境界の情報が出力される構成となっている。なお、保存部３０６における情報
の保存および出力は、走査制御回路２０によって制御される。
【００２７】
適用境界決定部３０８は、境界検出部３０２から出力される現フレームの境界のうち、
保存部３０６から出力された前フレームの境界から上・下・左・右方向に１画素分移動し
た部分を適用境界として決定し、決定した適用境界の情報を出力するものである。
なお、適用境界とは、現フレームの映像信号で示される画像の境界のうち、前フレーム
の映像信号で示される画像の境界から１画素分移動した境界をいうので、前フレームから
移動していない境界、および、２画素以上移動した境界は、適用境界として扱わない。
【００２８】
補正部３００は、判別部３１０とセレクター３１４とを有する。
このうち、判別部３１０は、遅延回路３１２によって遅延された映像信号Ｖid-dで示さ
れる画素が、適用境界決定部３０８で決定された適用境界に接しているか否かを判別する
。また、判別部３１０は、遅延回路３１２によって遅延された映像信号Ｖid-dで示される
画素の階調レベルが階調範囲ａに属するか否かと、当該画素の階調レベルが階調範囲ｂに
属するか否かを判別する。
そして、判別部３１０は、遅延回路３１２によって遅延された映像信号Ｖid-dで示され
る画素が、適用境界に接しており、当該画素の階調レベルが階調範囲ａに属する場合、セ
レクター３１４へ供給するデータＱの値を例えば「１」とする。また、判別部３１０は、
遅延回路３１２によって遅延された映像信号Ｖid-dで示される画素が、適用境界に接して
おり、当該画素の階調レベルが階調範囲ｂに属する場合、データＱの値を例えば「２」と
する。
なお、判別回路３１０は、判別部３１０は、遅延回路３１２によって遅延された映像信
号Ｖid-dで示される画素が、適用境界に接していない場合には、データＱの値を「０」に
する。また、判別回路３１０は、判別部３１０は、遅延回路３１２によって遅延された映
像信号Ｖid-dで示される画素が、適用境界に接していても、当該画素の階調レベルが、階
調範囲ａと階調範囲ｂのどちらにも属していない場合には、データＱの値を「０」にする
。
【００２９】
なお、境界検出部３０２は、少なくとも複数行分の画素の映像信号を蓄積しないと、表
示すべき画像における境界を検出することができないので、映像信号Ｖid-inの供給タイ
ミングを調整する意味で、遅延回路３１２が設けられている。このため、上位装置から供
給される映像信号Ｖid-inのタイミングと、遅延回路３１２から供給される映像信号Ｖid-
dのタイミングとは異なるので、厳密にいえば、両者の水平走査期間等については一致し
ないことになるが、以降については特に区別しないで説明することにする。
【００３０】
セレクター３１４は、制御端子Ｓelに供給されたデータＱの値に応じて入力端ａ、ｂ、
ｃのいずれかを選択し、選択した入力端に供給された信号を出力端Ｏutから映像信号Ｖid
-outを出力するものである。詳細には、セレクター３１４では、入力端ａに、遅延回路３
１２による映像信号Ｖid-dが供給され、入力端ｂに、置換用として、階調レベルｃ1の映
像信号が供給されている。また、入力端ｃに、置換用として、階調レベルｃ2の映像信号
が供給されている。
そして、セレクター３１４は、制御端子Ｓelに供給されたデータＱの値が「１」であれ
ば、入力端ｂを選択し、入力端ｂに供給された階調レベルｃ1の映像信号を映像信号Ｖid-
outとして出力する。また、セレクター３１４は、該データＱの値が「０」であれば、入
力端ａに供給された映像信号Ｖid-dを映像信号Ｖid-outとして出力する。また、セレクタ
ー３１４は、該データＱの値が「２」であれば、入力端ｃを選択し、入力端ｃに供給され
た階調レベルｃ2の映像信号を映像信号Ｖid-outとして出力する。
つまり、セレクター３１４は、入力された映像信号を補正し、補正された映像信号を出
力する補正部として機能する。
【００３１】
Ｄ／Ａ変換器３１６は、デジタルデータである映像信号Ｖidを、アナログのデータ信号
Ｖxに変換する。上述したように、本実施形態では、面反転方式としているので、データ
信号Ｖxの極性は、フレーム毎に切り替えられる構成となっている。
なお、コモン電極１０８に印加される電圧ＬＣcomは、電圧Ｖcntとほぼ同電圧と考えて
よいが、ｎチャネル型のＴＦＴ１１６のオフリーク等を考慮して、電圧Ｖcntよりも低位
となるように調整されることがある。
【００３２】
このような構成において、データＱの値が「１」であれば、それは、映像信号Ｖid-in
で示される画素が適用境界に接し、かつ、当該画素の階調レベルが階調範囲ａに含まれる
、ということを意味している。データＱの値が「１」であれば、セレクター３１４が入力
端ｂを選択するので、階調範囲ａの階調レベルを指定する映像信号Ｖid-dは、階調レベル
ｃ1を指定する映像信号に置換されて、映像信号Ｖid-outとして出力される。
また、本構成において、データＱの値が「２」であれば、それは、映像信号Ｖid-inで
示される画素が適用境界に接し、かつ、当該画素の階調レベルが階調範囲ｂに含まれる、
ということを意味している。データＱの値が「２」であれば、セレクター３１４が入力端
ｃを選択するので、階調範囲ｂの階調レベルを指定する映像信号Ｖid-dは、階調レベルｃ
2を指定する映像信号に置換されて、映像信号Ｖid-outとして出力される。
一方、データＱの値が「０」であれば、セレクター３１４では、入力端ａが選択される
ので、遅延させた映像信号Ｖid-dが映像信号Ｖidとして出力される。
【００３３】
液晶表示装置１の表示動作について説明すると、上位装置からは、映像信号Ｖid-inが
、フレームにわたって１行１列〜１行ｎ列、２行１列〜２行ｎ列、３行１列〜３行ｎ列、
・・・、ｍ行１列〜ｍ行ｎ列の画素の順番で、供給される。映像処理回路３０は、映像信
号Ｖid-inを遅延・置換等の処理をして映像信号Ｖid-outとして出力する。
ここで、１行１列〜１行ｎ列の映像信号Ｖid-outが出力される水平有効走査期間（Ｈa
）でみたときに、処理された映像信号Ｖidは、Ｄ／Ａ変換器３１６によって、図５の（ｂ
）で示されるように正極性または負極性のデータ信号Ｖxに、ここでは例えば正極性に変
換される。このデータ信号Ｖxは、データ線駆動回路１４０によって１〜ｎ列目のデータ
線１１４にデータ信号Ｘ1〜Ｘnとしてサンプリングされる。
【００３４】
一方、１行１列〜１行ｎ列の映像信号Ｖid-outが出力される水平走査期間では、走査制
御回路２０が走査線駆動回路１３０に対し走査信号Ｙ１だけをＨレベルとなるように制御
する。走査信号Ｙ１がＨレベルであれば、１行目のＴＦＴ１１６がオン状態になるので、
データ線１１４にサンプリングされたデータ信号は、オン状態にあるＴＦＴ１１６を介し
て画素電極１１８に印加される。これにより、１行１列〜１行ｎ列の液晶素子には、それ
ぞれ映像信号Ｖid-outで指定された階調レベルに応じた正極性電圧が書き込まれる。
続いて、２行１列〜２行ｎ列の映像信号Ｖid-inは、同様に映像処理回路３０によって
処理されて、映像信号Ｖid-outとして出力されるとともに、Ｄ／Ａ変換器３１６によって
正極性のデータ信号に変換された上で、データ線駆動回路１４０によって１〜ｎ列目のデ
ータ線１１４にサンプリングされる。
２行１列〜２行ｎ列の映像信号Ｖid-outが出力される水平走査期間では、走査線駆動回
路１３０によって走査信号Ｙ２だけがＨレベルとなるので、データ線１１４にサンプリン
グされたデータ信号は、オン状態にある２行目のＴＦＴ１１６を介して画素電極１１８に
印加される。これにより、２行１列〜２行ｎ列の液晶素子には、それぞれ映像信号Ｖid-o
utで指定された階調レベルに応じた正極性電圧が書き込まれる。
以下同様な書込動作が３、４、・・・、ｍ行目に対して実行され、これにより、各液晶
素子に、映像信号Ｖid-outで指定された階調レベルに応じた電圧が書き込まれて、映像信
号Ｖid-inで規定される透過像が作成されることなる。
次のフレームでは、データ信号の極性反転によって映像信号Ｖid-outが負極性のデータ
信号に変換される以外、同様な書込動作が実行される。
【００３５】
図５の（ｂ）は、映像処理回路３０から、水平走査期間（Ｈ）にわたって１行１列〜１
行ｎ列の映像信号Ｖid-outが出力されたときのデータ信号Ｖxの一例を示す電圧波形図で
ある。本実施形態では、ノーマリーブラックモードとしているので、データ信号Ｖxは、
正極性であれば、振幅中心電圧Ｖcntに対し、映像処理回路３０によって処理された階調
レベルが明るくなるにつれて高位側の電圧（図において↑で示す）になり、負極性であれ
ば、電圧Ｖcntに対し、階調レベルが明るくなるにつれて低位側の電圧（図において↓で
示す）になる。
詳細には、データ信号Ｖxの電圧は、正極性であれば、白に相当する電圧Ｖw(+)から黒
に相当する電圧Ｖb(+)までの範囲で、一方、負極性であれば、白に相当する電圧Ｖw(-)か
ら黒に相当する電圧Ｖb(-)までの範囲で、それぞれ基準電圧Ｖcntから階調に応じた分だ
け偏位させた電圧となる。
電圧Ｖw(+)および電圧Ｖw(-)は、電圧Ｖcntを中心に互いに対称の関係にある。電圧Ｖb
(+)およびＶb(-)についても電圧Ｖcntを中心に互いに対称の関係にある。
なお、図５の（ｂ）は、データ信号Ｖxの電圧波形を示すものであって、液晶素子１２
０に印加される電圧（画素電極１１８とコモン電極１０８との電位差）とは異なる。また
、図５の（ｂ）におけるデータ信号の電圧の縦スケールは、（ａ）における走査信号等の
電圧波形と比較して拡大してある。
【００３６】
続いて、映像処理回路３０による処理の具体例について説明する。映像信号Ｖid-inで
示される現フレームの画像の一部が例えば図７（２）の左欄に示されるようなものである
場合、境界検出部３０２によって検出される境界は、図７（２）の右欄において破線で示
される通りとなる。一方、同じ部分において１フレーム前の画像が、例えば図７（１）の
左欄に示されるようなものであった場合、保存部３０６から出力される境界は、図７（１
）の右欄において破線で示される通りである。
適用境界決定部３０８は、図７（２）の右欄で検出された境界のうち、図７（１）で示
される１フレーム前の境界から１画素分移動した部分（丸印で囲った部分）を、適用境界
として出力する。この例において、適用境界となる部分は、図７（３）の右欄で示される
ように３箇所となるので、これらを区別するため、同図で示されるように適用境界Ｐ、Ｑ
、Ｒとする。
【００３７】
セレクター３１４では、適用境界に接する画素のうち、階調範囲ａに属する暗画素が階
調レベルｃ1の映像信号に置換されるので、図７（２）の左欄で示される画像は、図７（
３）の左欄に示されるような階調レベルに補正される。詳細には、適用境界Ｐに対して上
側に位置する暗画素、適用境界Ｑに対して右側に位置する暗画素、および、適用境界Ｒに
対して左側に位置する暗画素が、それぞれ階調レベルｃ1に置換される。
また、セレクター３１４では、適用境界に接する画素のうち、階調範囲ｂに属する明画
素が階調レベルｃ2の映像信号に置換されるので、図７（２）の左欄で示される画像は、
図７（３）の左欄に示されるような階調レベルに補正される。詳細には、適用境界Ｐに対
して下側に位置する明画素、適用境界Ｑに対して左側に位置する明画素、および、適用境
界Ｒに対して右側に位置する明画素が、それぞれ階調レベルｃ2に置換される。
【００３８】
仮に、映像信号Ｖid-inを映像処理回路３０で処理しないで液晶パネル１００に供給す
る構成としたとき、階調範囲ａに属する暗画素と階調範囲ｂに属する明画素とにおいて、
画素電極の電位は、正極性書込であれば、図８（ａ）で示される通りとなる。暗画素の画
素電極の電位は、正極性書込であれば明画素の画素電極の電位よりも低くなるが、電位差
が大きいので、横電界の影響をうけやすくなる。なお、負極性であれば、電位の高低関係
が逆転するが、電位差が大きいことに変わりはないので、やはり横電界の影響をうけやす
くなる。
【００３９】
これに対して、本実施形態では、階調範囲ａに属する暗画素と階調範囲ｂに属する明画
素とが隣接する境界から、適用境界を決定し、この適用境界に接する暗画素に対応する映
像信号Ｖid-outを、階調レベルｃ1に置換する。また、本実施形態では、この適用境界に
接する明画素に対応する映像信号Ｖid-outを、階調レベルｃ2に置換する。
このため、当該暗画素の液晶素子への印加電圧が高くなるように、換言すれば、当該暗
画素の画素電極の電位が正極性書込であれば、図８（ｂ）で示されるように、引き上げら
れる。また、当該明画素の液晶素子への印加電圧が低くなるように、換言すれば、当該明
画素の画素電極の電位が正極性書込であれば、図８（ｂ）で示されるように、引き下げら
れる。
【００４０】
このため、映像信号Ｖid-inで示される画像が、図６（ａ）に示されるように、黒画素
から白画素に変化する部分が１画素ずつ移動するような場合であっても、液晶パネル１０
０では、暗画素から明画素へと直接的に変化しない。つまり、図６（ｂ）に示されるよう
に、暗画素から一旦階調レベルｃ1を経て、階調レベルｃ1の後に階調レベルｃ2を経て明
画素に変化する。
したがって、本実施形態では、横電界の大きさが段階的に変化して、適用境界において
大きな横電界がかかるのが防止されるので、リバースチルトドメインによる表示上の不具
合の発生を抑制することが可能となる。
【００４１】
また、本実施形態において、適用境界は、映像信号Ｖid-inで示される現フレームの画
像において、階調範囲ａに属する暗画素と階調範囲ｂに属する明画素とが隣接する境界の
うち、前フレームの境界から１画素分移動した部分のみとしている。このため、本実施形
態では、元の映像信号Ｖid-inで指定される階調レベルをそれとは異なる階調レベルｃ1や
階調レベルｃ2に置換する画素（表示背反画素）については、単に現フレームにおいて境
界に接する画素を補正（置換）対象とする構成と比較して、少なく抑えられる。
【００４２】
このように、本実施形態によれば、上述したリバースチルトドメインに起因する表示上
の不具合の発生を事前に回避することが可能となる。さらに、映像信号Ｖid-inで規定さ
れる画像のうち、適用境界に接する画素の階調レベルが局所的に置換されるので、当該置
換による表示画像の変更がユーザーに知覚される可能性も小さい。くわえて、本実施形態
では、液晶パネル１００の構造を変更する必要がないので、開口率の低下を招くこともな
いし、また、構造を工夫しないで既に製作された液晶パネルに適用することも可能である
。
【００４３】
＜実施形態の応用・変形例＞
上述した実施形態では、種々の応用・変形が可能である。以下、応用・変形例について
説明する。
【００４４】
＜その１：置換する画素数＞
上述した実施形態では、適用境界に接する一つの暗画素を階調レベルｃ1に置換する構
成であった。このような構成において、暗画素と明画素との適用境界で生じる横電界を小
さくする、という観点からすると、適用境界に接する暗画素への印加電圧の引き上げ量を
大きくすることが好ましい。ただし、印加電圧の引き上げ量（補正量）を大きくする、と
いうことは、それだけ、元画像から乖離し、表示背反となることを意味する。
そこで、暗画素が連続するような場合には、適用境界に接する暗画素に加え、当該暗画
素に対して適用境界から離れる方向（適用境界に直交する方向）に連続するＫ（Ｋは１以
上の整数）個の暗画素についても階調レベルを置換し、適用境界に接する明画素について
は、適用境界に接する明画素のみを階調レベルｃ2に置換する構成としてもよい。
このためには、判別部３１０が、次のような場合にデータＱの値を「１」で出力すれば
よい。詳細には、適用境界から離れる方向の画素であって映像信号Ｖid-dで示される画素
の階調レベルが階調範囲ａに属し、適用境界から当該画素までが階調範囲ａで連続し、適
用境界から当該画素までの距離が（Ｋ＋１）画素以内である場合に、データＱの値を「１
」で出力すればよい。なお、置換候補とする画素数については、適用境界に接する画素を
含めて２〜１０個程度が好ましい。
【００４５】
図９は、適用境界に接する暗画素と、当該暗画素に隣接する１つの暗画素との計２画素
について階調レベルを置換する場合の処理例を示す図である。前フレームおよび現フレー
ムの画像と、検出される境界および適用境界とついては、図７の例と同様であるが、本例
では、適用境界Ｐから上方向に２画素以内で位置する暗画素がそれぞれ階調レベルｃ1に
置換される。すなわち、適用境界Ｐに接する暗画素に加え、当該暗画素に上方向で隣接す
る暗画素の計２画素が、それぞれ階調レベルｃ1に置換される。同様に、適用境界Ｑに対
して接する暗画素に加え、左方向に隣接する暗画素の計２画素が、それぞれ階調レベルｃ
1に置換される。ただし、適用境界Ｒに接する暗画素は右方向に連続していないので、適
用境界Ｒに接する暗画素のみが階調レベルｃ1に置換される。
このように適用境界に接する画素と、当該画素に対して適用境界から離れる方向に隣接
する１以上の画素についても階調レベルを置換する構成にすると、補正量を大きくしなく
ても、横電界を小さくすることが可能となる。
【００４６】
なお、適用境界に接する暗画素と、当該暗画素に対して適用境界から離れる方向に連続
するＫ個の暗画素について階調レベルを置換する構成においては、図１０に示したように
、適用境界に接する明画素と、当該明画素に対して適用境界から離れる方向に連続するＫ
個の明画素についても階調レベルを置換する構成としてもよい。
この構成の場合、判別部３１０は、映像信号Ｖid-dで示される画素の階調レベルが階調
範囲ｂに属し、適用境界から当該画素までが階調範囲ｂで連続し、適用境界から当該画素
までの距離が（Ｋ＋１）画素以内である場合に、データＱの値を「２」で出力すればよい
。
また、適用境界に接する明画素と、当該明画素に対して適用境界から離れる方向に連続
するＫ個の明画素に階調レベルを置換する構成においては、適用境界に接する暗画素につ
いてのみ階調レベルｃ1に置換する構成としてもよい。
【００４７】
＜その２：適用境界のさらなる絞り込み＞
実施形態では、階調範囲ａの暗画素と階調範囲ｂの明画素とが隣接する境界を検出し、
その検出した境界のうち、１フレーム前の境界から１画素分だけ移動したものを適用境界
とした。このような適用境界については、前フレームから現フレームへの変化を考えたと
きに、次の３パターンが考えられる。すなわち、現フレームにおいて暗画素と明画素とが
隣接する場合に、前フレームでは、その２つがともに暗画素であった場合（パターン１）
、ともに明画素であった場合（パターン２）、前フレームでは明画素と暗画素であって、
現フレームにおいて入れ替わった場合（パターン３）の３つが考えられる。
リバースチルトドメインは、図６（ａ）で説明したように、また、上記条件（３）から
推察されるように、前フレームで暗画素と明画素とが隣接したときに、印加電圧が低い方
の画素（液晶分子が不安定な状態にある画素）が、現フレームにおいて印加電圧が高い方
向に変化するときに発生しやすい。
したがって、上述した実施形態において決定した適用境界から、パターン２を排除して
も影響が少ないことが判る。パターン２は、前フレームにおいて２つの画素がともに液晶
分子が安定状態にある明画素であり、それが画像パターンの動きによって、いずれか一方
が暗画素に変化する場合であるから、いずれの２画素においてもリバースチルトドメイン
が発生しにくい状況にある、ということができるためである。
【００４８】
実施形態において適用境界決定部３０８は、現フレームにおいて暗画素と明画素とが隣
接する境界を検出し、該検出した境界のうち、１フレーム前の境界から１画素分だけ移動
したものを適用境界として決定する構成としたが、適用境界を決定する際に、現フレーム
における暗画素と明画素とが前フレームにおいていずれも明画素であったときには、適用
境界として決定しない構成とすれば、パターン２の画素が、補正対象から除外されること
になる。
【００４９】
図１１は、適用境界から上記パターン２を除外する場合の処理例を示す図である。前フ
レームおよび現フレームの画像と、検出される境界については、図７の例と同様である。
図７の例では、Ｐ、Ｑ、Ｒがいずれも適用境界として決定されたが、このうち、本例では
、Ｒを挟む２つの画素が前フレームにおいていずれも明画素であるから、補正対象から除
外される。
このようにパターン２を除外すると、表示背反となる画素をさらに少なくすることが可
能となる。なお、パターン２については、見方を変えると、明画素（電圧の高い方の画素
）からなるパターンが暗画素（電圧の低い方の画素）からなるパターンに向かって移動し
たとき、と言い換えることもできる。
【００５０】
＜その３：ノーマリーホワイトモード＞
本実施形態において、液晶１０５をＶＡ方式としたノーマリーブラックモードとして説
明したが、液晶１０５を例えばＴＮ方式として、電圧無印加時において液晶素子１２０が
白状態となるノーマリーホワイトモードとしてもよい。
ノーマリーホワイトモードとしたとき、液晶素子１２０の印加電圧と透過率との関係は
、図４の（ｂ）に示されるようなＶ−Ｔ特性で表され、印加電圧が高くなるにつれて透過
率が減少する。横電界の影響を受けやすい画素は、印加電圧が低い方の画素であることに
変わりはないが、ノーマリーホワイトモードにおいて印加電圧が低い方の画素は明画素と
なる。
このため、ノーマリーホワイトモードにおいて、映像処理回路３０は、印加電圧が電圧
範囲Ａに属する明画素と電圧範囲Ｂに属する暗画素とが隣接する境界から、適用境界を決
定する。また、映像回路３０は、ノーマリーホワイトモードにおいて、適用境界に接する
明画素に対応する映像信号Ｖid-outを、電圧範囲Ａに相当する階調レベルよりも暗い階調
レベルｃ1に置換する処理をする。
また、映像回路３０は、ノーマリーホワイトモードにおいて、適用境界に接する暗画素
に対応する映像信号Ｖid-outを、電圧範囲Ｂに相当する階調レベルよりも明るい階調レベ
ルｃ2に置換する処理をする。なお、ノーマリーブラックモードと同様に複数画素につい
て階調レベルを置換するようにしてもよい。
【００５１】
上述した各実施形態において、映像信号Ｖid-inは、画素の階調レベルを指定するもの
としたが、液晶素子の印加電圧を直接的に指定するものとしても良い。映像信号Ｖid- in
が液晶素子の印加電圧を指定する場合、指定される印加電圧によって境界を判別して、電
圧を補正する構成とすれば良い。
【００５２】
＜電子機器＞
次に、上述した実施形態に係る液晶表示装置を用いた電子機器の一例として、液晶パネ
ル１００をライトバルブとして用いた投射型表示装置（プロジェクター）について説明す
る。図１２は、このプロジェクターの構成を示す平面図である。
この図に示されるように、プロジェクター２１００の内部には、ハロゲンランプ等の白
色光源からなるランプユニット２１０２が設けられている。このランプユニット２１０２
から射出された投射光は、内部に配置された３枚のミラー２１０６および２枚のダイクロ
イックミラー２１０８によってＲ（赤）色、Ｇ（緑）色、Ｂ（青）色の３原色に分離され
て、各原色に対応するライトバルブ１００Ｒ、１００Ｇおよび１００Ｂにそれぞれ導かれ
る。なお、Ｂ色の光は、他のＲ色やＧ色と比較すると、光路が長いので、その損失を防ぐ
ために、入射レンズ２１２２、リレーレンズ２１２３および出射レンズ２１２４からなる
リレーレンズ系２１２１を介して導かれる。
【００５３】
このプロジェクター２１００では、液晶パネル１００を含む液晶表示装置が、Ｒ色、Ｇ
色、Ｂ色のそれぞれに対応して３組設けられる。ライトバルブ１００Ｒ、１００Ｇおよび
１００Ｂの構成は、上述した液晶パネル１００と同様である。Ｒ色、Ｇ色、Ｂ色のそれぞ
れの原色成分の階調レベルを指定するに映像信号がそれぞれ外部上位回路から供給されて
、ライトバルブ１００Ｒ、１００Ｇおよび１００がそれぞれ駆動される構成となっている
。
ライトバルブ１００Ｒ、１００Ｇ、１００Ｂによってそれぞれ変調された光は、ダイク
ロイックプリズム２１１２に３方向から入射する。そして、このダイクロイックプリズム
２１１２において、Ｒ色およびＢ色の光は９０度に屈折する一方、Ｇ色の光は直進する。
したがって、各原色の画像が合成された後、スクリーン２１２０には、投射レンズ２１１
４によってカラー画像が投射されることとなる。
【００５４】
なお、ライトバルブ１００Ｒ、１００Ｇおよび１００Ｂには、ダイクロイックミラー２
１０８によって、Ｒ、Ｇ、Ｂの各原色に対応する光が入射するので、カラーフィルタを設
ける必要はない。また、ライトバルブ１００Ｒ、１００Ｂの透過像は、ダイクロイックプ
リズム２１１２により反射した後に投射されるのに対し、ライトバルブ１００Ｇの透過像
はそのまま投射されるので、ライトバルブ１００Ｒ、１００Ｂによる水平走査方向は、ラ
イトバルブ１００Ｇによる水平走査方向と逆向きにして、水平方向の左右を反転させた像
を表示する構成となっている。
【００５５】
液晶パネル１００をライトバルブに用いる例としては、図１２を参照して説明したプロ
ジェクターの他にも、リヤ・プロジェクション型のテレビジョンが挙げられる。また、液
晶パネル１００については、ミラーレスのレンズ交換式のデジタルカメラや、ビデオカメ
ラなどにおける電子ビューファインダー（ＥＶＦ）にも適用可能である。
このほかにも、適用可能な電子機器として、ヘッドマウントディスプレイや、カーナビ
ゲーション装置、ページャー、電子手帳、電卓、ワードプロセッサー、ワークステーショ
ン、テレビ電話、ＰＯＳ端末、デジタルスチルカメラ、携帯電話機、タッチパネルを備え
た機器等などが挙げられる。そして、これらの各種の電子機器に対して、上記液晶表示装
置が適用可能なのは言うまでもない。
【符号の説明】
【００５６】
１・・・液晶表示装置、３０・・・映像処理回路、１００・・・液晶パネル、１００ａ・
・・素子基板、１００ｂ・・・対向基板、１０５・・・液晶、１０８・・・コモン電極、
１１８・・・画素電極、１２０・・・液晶素子、３００・・・補正部、３０２・・・境界
検出部、３０８・・・適用境界決定部、３１０・・・判別部、３１４・・・セレクター、
３１６・・・Ｄ／Ａ変換器、２１００・・・プロジェクター
【図１】
2011175136.tif 000003
【図２】
2011175136.tif 000004
【図３】
2011175136.tif 000005
【図４】
2011175136.tif 000006
【図５】
2011175136.tif 000007
【図６】
2011175136.tif 000008
【図７】
2011175136.tif 000009
【図８】
2011175136.tif 000010
【図９】
2011175136.tif 000011
【図１０】
2011175136.tif 000012
【図１１】
2011175136.tif 000013
【図１２】
2011175136.tif 000014